(57)【要約】  【課題】  不正行為者が照射する不正な光を識別することができる検出センサを提供することを目的とする。  【解決手段】  本実施の形態に係る検出センサ１００は、フォトインタラプタ１０と、制御回路２８とから構成される。フォトインタラプタ１０は、検出媒体Ｋが通過する通路１２を有する略コの字型のケース１４と、ケース１４内に、通路１２を挟んで対向するように配置された発光素子１６と、正規受光素子２４ａ及び補助受光素子２４ｂ〜２４ｅとから成る受光部材１８とを備えている。制御回路２８は、補助受光素子２４ｂ〜２４ｅから出力された出力信号を解析することにより不正を検出することができる。【選択図】  図１
2006141672.tif 000002
【特許請求の範囲】
【請求項１】
光を発光する発光素子と、複数の受光素子を有する受光部材と、前記受光素子から出力される出力信号を解析する制御手段とを備えた検出センサであって、
前記受光部材は、前記発光素子から発光される正規の光を受光するための正規受光素子と、前記正規受光素子の周囲に配置され、前記発光素子以外から発光される予定されない光を受光するための補助受光素子とを有し、
前記制御手段は、前記補助受光素子から出力される出力信号を基に、前記予定されない光を検出するように構成されていることを特徴とする検出センサ。
【請求項２】
前記補助受光素子を複数備え、各補助受光素子の出力端子は、単一の信号線となって前記制御手段に接続されていることを特徴とする請求項１記載の検出センサ。
【請求項３】
前記発光素子及び前記受光部材間において、前記正規の光の光軸上に設けられたスリットをさらに備えたことを特徴とする請求項１または２記載の検出センサ。
【請求項４】
前記制御手段は、前記正規の光のみが照射されている際に前記補助受光素子から出力される信号値以上の値を所定値として設定し、前記補助受光素子からの出力信号が、前記所定値を超える場合に、予定されない光が照射されたと判断するように構成されていることを特徴とする請求項１ないし３何れか１項に記載の検出センサ。
【請求項５】
前記検出センサは、前記発光素子から発光される光が反射して前記受光部材に入射される反射部材を有する反射型検出センサであって、
前記制御手段は、前記正規の光のみが照射されている際に、前記正規の光が検出媒体で反射して前記補助受光素子に入射することにより前記補助受光素子から出力される信号値以上の値を所定値として設定し、前記補助受光素子からの出力信号が、前記所定値を超える場合に、予定されない光が照射されたと判断するように構成されていることを特徴とする請求項１ないし４何れか１項に記載の検出センサ。
【請求項６】
前記受光部材は、前記補助受光素子を覆うように前記正規受光素子の周囲に設けられた透明カバーをさらに備え、前記透明カバー内に入射された光は、前記透明カバー内を反射しながら進むように構成されていることを特徴とする請求項１ないし５何れか１項に記載の検出センサ。
【請求項７】
前記予定されない光は、前記発光素子以外から発光される不正な光であることを特徴とする請求項１ないし６何れか１項に記載の検出センサ。
【請求項８】
光を発光する発光素子と、複数の受光素子を有する受光部材と、前記受光素子から出力される出力信号を解析する制御手段とを備え、前記発光素子から発光される光の光軸上を通過する遊技媒体をカウントする遊技媒体カウンタであって、
前記受光部材は、前記発光素子から発光される正規の光を受光するための正規受光素子と、前記正規受光素子の周囲に配置され、前記発光素子以外から発光される予定されない光を受光するための補助受光素子とを有し、
前記制御手段は、前記補助受光素子から出力される出力信号を基に、前記予定されない光を検出するように構成されていることを特徴とする遊技媒体カウンタ。
【発明の詳細な説明】
【技術分野】
【０００１】
本発明は、発光素子と受光素子とを備えた検出センサに関する。
【背景技術】
【０００２】
従来、発光素子と受光素子とを対向するように備え、発光素子と受光素子との間を通過する物体の有無を検出する検出センサとして、図１０に示す構造のものが広く知られている。図１０は、従来の検出センサ２００を示す図であり、図１０（ａ）は、検出センサ２００の概略斜視図、図１０（ｂ）は、検出センサ２００のフォトインタラプタ２１０の中央縦断面図、図１０（ｃ）は、フォトインタラプタ２１０の受光素子２１８の正面図である。
【０００３】
図１０に示すように、検出センサ２００は、フォトインタラプタ２１０と、制御回路２２６とから構成される。
【０００４】
フォトインタラプタ２１０は、検出媒体Ｋが通過する通路２１２を有する略コの字型のケース２１４と、ケース２１４内に通路２１２を挟んで対向するように配置された発光素子２１６及び受光素子２１８とから構成される。発光素子２１６は、リード端子２２０を有する発光ダイオード等を樹脂モールドにより被覆して成形される。また、受光素子２１８は、リード端子２２２を有するフォトダイオード等を樹脂モールドにより被覆して成形される。発光素子２１６から発光される光は、通路２１２を挟んで対向するようにケース２１４に設けられた一対のスリット２２４を通り、受光素子２１８に受光される。
【０００５】
上記フォトインタラプタ２１０の構成において、フォトインタラプタ２１０の通路２１２を検出媒体Ｋが通過すると、発光素子２１６から受光素子２１８への光が一定時間遮られることにより、受光素子２１８からの出力信号が変化する。この出力信号の変化を制御回路２２６が解析することで、検出媒体Ｋの通過が検出される。
【０００６】
このようなフォトインタラプタは、例えば、下記特許文献１及び下記特許文献２に開示されている。
【特許文献１】特開平６−５９０７号公報
【特許文献２】特開２００２−５７３６６号公報
【発明の開示】
【発明が解決しようとする課題】
【０００７】
ところで、近年、フォトインタラプタの受光素子付近に光を照射し、フォトインタラプタを誤動作させる不正行為が行われている。例えば、フォトインタラプタの受光素子付近に、フォトインタラプタの発光素子が発光する光と同等の光を照射することにより、受光素子を常に受光状態とする不正が行われている。
【０００８】
しかし、従来のフォトインタラプタでは、発光素子が発光する光と、不正行為者が照射する光とを区別することができず、これにより、不正行為者により不正な光が照射された場合に、正しく検出媒体の通過を検知できないという問題があった。
【０００９】
本発明は、このような課題を解決するためになされたものであり、不正行為者が照射する不正な光を識別することができる検出センサを提供することを目的とする。
【課題を解決するための手段】
【００１０】
上記課題を解決するために、本発明に係る検出センサは、光を発光する発光素子と、複数の受光素子を有する受光部材と、前記受光素子から出力される出力信号を解析する制御手段とを備えた検出センサであって、前記受光部材は、前記発光素子から発光される正規の光を受光するための正規受光素子と、前記正規受光素子の周囲に配置され、前記発光素子以外から発光される予定されない光を受光するための補助受光素子とを有し、前記制御手段は、前記補助受光素子から出力される出力信号を基に、前記予定されない光を検出するように構成されていることを特徴とする。
ここで、上記課題を解決するための手段の発光素子以外から発光される予定されない光とは、本実施の形態では、不正行為者により発光される不正な光である。
【００１１】
また、本発明に係る遊技媒体カウンタは、光を発光する発光素子と、複数の受光素子を有する受光部材と、前記受光素子から出力される出力信号を解析する制御手段とを備え、前記発光素子から発光される光の光軸上を通過する遊技媒体をカウントするであって、前記受光部材は、前記発光素子から発光される正規の光を受光するための正規受光素子と、前記正規受光素子の周囲に配置され、前記発光素子以外から発光される予定されない光を受光するための補助受光素子とを有し、前記制御手段は、前記補助受光素子から出力される出力信号を基に、前記予定されない光を検出するように構成されていることを特徴とする。
【発明の効果】
【００１２】
本発明に係る検出センサによれば、不正行為者が照射する不正な光を識別することが可能となる。
【発明を実施するための最良の形態】
【００１３】
（第１の実施形態）
以下、添付図面を参照しながら本発明の第１の実施の形態について詳細に説明する。本実施の形態では、発光素子と受光素子が対向するように設けられ、発光素子と受光素子の間を通過する物体の有無を検出する透過型のフォトインタラプタについて説明する。
【００１４】
まず、本実施の形態に係る検出センサ１００の構成について説明する。図１は、本発明の実施の形態に係る検出センサ１００の構成を示す斜視図、図２は、検出センサ１００のフォトインタラプタ１０の中央縦断面図である。
【００１５】
図１及び図２に示すように、本実施の形態に係る検出センサ１００は、フォトインタラプタ１０と、制御回路２８とから構成される。
【００１６】
フォトインタラプタ１０は、検出媒体Ｋが通過する通路１２を有する略コの字型のケース１４と、ケース１４内に、通路１２を挟んで対向するように配置された発光素子１６と、複数の受光素子２４ａ〜２４ｅとから成る受光部材１８とを備えている。
【００１７】
ケース１４は、検出媒体Ｋが通過する通路１２を有する略コの字型で、発光素子１６を収容する発光素子収容部１４ａと、受光部材１８を収容する受光部材収容部１４ｂとを有する。また、発光素子収容部１４ａと、受光部材収容部１４ｂには、通路１２を挟んで対向するように一対のスリット２０が設けられている。この一対のスリット２０は、所望の分解能を得るために必要な幅を有し、発光素子１６からの光が絞られ、通路１２を通過して、受光部材１８に入射するように構成されている。
【００１８】
また、発光素子１６は、リード端子２２を有する発光ダイオード等を樹脂モールドにより被覆して成形される。本実施の形態において、発光素子１６は、赤外光を発光する赤外発光ダイオードが使用される。なお、発光素子としては、使用形態に応じて、他の発光波長の光を発光する発光ダイオードを使用することができる。例えば、紫外光や可視光を発光する発光ダイオードを使用しても良い。また、フラッシュ等の強い光を発光させるものを発光素子として使用されても良い。
【００１９】
図３は、受光部材１８の構成を示す正面図である。図３を参照して受光部材１８の構成を詳細に説明する。
【００２０】
図３に示すように、受光部材１８は、樹脂モールドにより被覆して成形される正規受光素子２４ａと、複数の補助受光素子２４ｂ〜２４ｅと、複数のリード端子２６ａ〜２６ｃとから構成される。本実施の形態において、受光素子は、フォトダイオード、フォトトランジスタ、フォトＩＣ等が適宜選択されて使用される。
【００２１】
なお、本実施の形態において、正規受光素子２４ａは、発光素子１６が発光する光の光軸上に、対向するように配置されている。また、補助受光素子２４ｂ〜２４ｅは、正規受光素子２４ａを中心に、上下左右方向に等間隔で配置されている。なお、受光素子２４ａ〜２４ｅの受光素子自体は、同一の受光素子が使用される。
【００２２】
本実施の形態において、正規受光素子２４ａには、発光素子から発光される光が受光され、また、補助受光素子２４ｂ〜２４ｅには、発光素子以外から発光される光が受光されるように配置されている。
【００２３】
リード端子２６ａは、受光素子２４ａ〜２４ｅに共通のグランド線である。また、リード端子２６ｂは、正規受光素子２４ａの出力用の信号線であり、リード端子２６ｃは、補助受光素子２４ｂ〜２４ｅに共通の出力用の信号線である。ここでは補助受光素子の信号線は１つの共通したリード端子であるが、補助受光素子１つにリード端子１つで構成しても良い。本実施の形態において、フォトインタラプタ１０の通路１２を検出媒体Ｋが通過すると、発光素子１６から受光素子２４ａへの光が一定時間遮られることにより、正規受光素子２４ａからの出力信号が変化する。この出力信号を制御回路２８が解析することで、検出媒体Ｋの通過が検出される。
【００２４】
図４は、フォトインタラプタ１０の受光素子から出力される出力信号を説明する概念図である。図４を参照して、各受光素子から出力される出力信号の変化を詳細に説明する。なお、図４は、発光素子から発光される光の量と、その発光された光が各受光素子に受光される量を概念的に表している。なお、図中、縦軸が受光素子表面での光量を示しており、斜線を付した領域が、正規受光素子２４ａ又は補助受光素子２４ｂ〜２４ｅに受光される光量をイメージしている。
【００２５】
図４（ａ）及び図４（ｂ）は、正規の光のみを受光した状態の例を示す概念図である。図４（ａ）は、発光素子１６から発光された正規の光が、一対のスリット２０により絞られ、通路１２を通過し、受光部材１８の正規受光素子２４ａのみに受光された状態を示している。また、図４（ｂ）は、発光素子１６から発光された正規の光が、一対のスリット２０により絞られ、通路１２を通過し、受光部材１８の正規受光素子２４ａに大部分が受光され、補助受光素子２４ｂ〜２４ｅにも少量受光された状態を示している。
【００２６】
同図に示すように、図４（ａ）に示す正規の光の受光状態では、正規受光素子２４ａからのみ受光量に対する出力信号が出力される。また、図４（ｂ）に示す正規の光の受光状態では、正規受光素子２４ａから正規の受光素子の受光量に対応する大きい出力信号と、補助受光素子２４ｂ〜２４ｅから補助受光素子の受光量に対応する小さい出力信号が出力される。本実施の形態においては、このような正規の光のみの受光状態に着目し、正規の光のみが照射されている際に補助受光素子２４ｂ〜２４ｅから出力される信号値以上の値を所定値として設定し、後述する制御回路２８による不正の判断基準としている。この所定値としては、上記出力値そのものとしても良いし、反射光等による誤検知を防止するために、上記出力値より大きい値を所定値として余裕を持たせるようにしても良い。但し、余裕を持たせ過ぎると不正な光が照射されていても検知できなくなる可能性もあるので、注意が必要である。
【００２７】
図４（ｃ）は、不正な光を受光した状態の例を示す概念図である。なお、図４（ｃ）は、正規の光が照射されていない若しくは遮光物等によって受光素子２４まで到達していない状態であって、照射された不正な光がスリット２０より入射され、補助受光素子２４ｃ（２４ｂ）に受光された状態を示している。
【００２８】
本実施の形態において、図４（ｃ）に示す不正の受光状態では、補助受光素子２４ｃ（２４ｂ）から不正な光の受光量に対応する出力信号が出力される。後述するように、制御回路２８は、この出力された出力信号値を前述した所定値と比較し、所定値を超える値であれば、不正な光が照射されていると判断する。同図（ｃ）に示すような状態で不正な光が補助受光素子２４ｃ（２４ｂ）に受光されると、その出力値は大きく、上記所定値以上になるはずであるから、制御回路２８によって不正な光が照射されていると判断され、不正を検出することができる。
【００２９】
次に、上記構成を有するフォトインタラプタ１０の使用状態について、図５ないし図８を参照して、遊技媒体カウンタと、スタートレバーとを例に詳細に説明する。まず、パチスロ機の内部に取り付けられて使用される本実施の形態に係る検出センサに遊技媒体カウンタを適用した構成を例にとって説明する。
【００３０】
（１）遊技媒体カウンタの例
図５は、パチスロ機３０の概略正面図である。図５に示すように、パチスロ機３０は、一般的に遊技店に設置されるものであり、コイン投入口３２と、スタートレバー３４と、リール３６と、ストップボタン３８とを備えている。パチスロ機３０は、遊技者によりコイン投入口３２から遊技媒体としてのコインＣが投入され、スタートレバー３４を操作されると、図柄の描かれた３個のリール３６が回転を始める。遊技者は、この回転したリール３６をそれぞれ停止させるために、対応するストップボタン３８を押し、リール３６を停止させてゲーム行う。
【００３１】
図６は、コインＣの通路の構成を示す図である。図６を参照して、コインＣの通路におけるフォトインタラプタ１０の設置状態について詳細に説明する。
【００３２】
図６に示すように、コインＣの通路は、コイン投入口３２から投入されたコインＣを選別・カウントする遊技媒体カウンタ４０と、正規通路４２と、返却通路４４とを有する。また、正規通路４２の下流には、コインＣを収容するホッパ４６が設置されている。
【００３３】
遊技媒体カウンタ４０は、コイン投入口３２から投入されたコインＣを選別し、正規のコインのみを正規通路４２に、また、不良コインの場合は、返却通路４４に送るように構成されている。また、遊技媒体カウンタ４０内には、コインＣの選別後、正規のコインをカウントするためのフォトインタラプタ１０が設けられている。
【００３４】
正規通路４２からのコインＣが収容されるホッパ４６内には、パチスロ機３０の制御装置（図示せず）からの払い出し命令によりコインＣを排出する機能を備えた排出口４８が設けられており、コインＣをパチスロ機３０の出口５２から受皿５０に排出することができる。また、排出口４８内にも、排出されるコインをカウントするための遊技媒体カウンタ４０が設けられている。
【００３５】
ここで、パチスロ機３０に取り付けられた従来の検出センサに対して行われていた不正処理について詳細に説明する。
【００３６】
不正行為者は、パチスロ機３０の遊技媒体カウンタ４０内の検出センサのフォトインタラプタに対して、コインに見立てた遮光物に赤外発光ダイオード等の発光素子を取付けた不正器具を、その不正器具の発光素子を点灯させながらコイン投入口３２から挿入し、遊技媒体カウンタ４０に設けられたフォトインタラプタの近傍で点滅させる。これにより、フォトインタラプタの受光素子は、コインＣが通過したときと同じように光を検出する。よって、不正行為者は、コインＣを実際に投入していないのに、投入したと見せかけて、不正にクレジットを増やすことができる。
【００３７】
また、不正行為者は、パチスロ機３０の排出口４８に設けられたフォトインタラプタに対して、コインに見立てた遮光物に赤外発光ダイオード等の発光素子を取付けた不正器具を、発光素子を点灯させたまま受皿５０から排出口４８に挿入する。これにより、コインＣが払い出される際に正規の光がコインＣで遮られるはずであるのに、不正な光が受光素子に照射された状態となってしまう。よって、フォトインタラプタの受光素子は、コインＣが通過していない状態と同じように光を検出し、コインＣが払い出されているにもかかわらず、コインＣが払い出されていない状態になり、不正行為者は多くのコインＣを入手することができる。
【００３８】
これに対し、本実施の形態に係る検出センサ１００を用いた遊技媒体カウンタ４０であれば、不正行為により照射される不正な光を検知することが可能である。以下、本実施の形態に係る遊技媒体カウンタ４０により、不正な光を検出する処理について詳細に説明する。なお、遊技媒体カウンタ４０に設けられたフォトインタラプタ１０と、排出口４８に設けられたフォトインタラプタ１０とは、同一のフォトインタラプタ１０が使用されているので、選別機４０に設けられたフォトインタラプタ１０の処理を説明して、排出口４８の説明は省略する。
【００３９】
遊技媒体カウンタ４０のフォトインタラプタ１０に対し、不正な光が照射された場合、その不正な光が、スリット２０を通って正規受光素子２４ａに受光される。この時、コインＣが通過して発光素子１６からの光を遮ったとしても、不正な光により、正規受光素子２４ａは受光状態なので、コインＣの通過を検知することができない。
【００４０】
しかしながら、不正行為者は、前述した発光素子を備えた不正器具を、コイン投入口３２から手探り状態で挿入し、大凡の見当でフォトインタラプタ１０の位置を探し、その周辺で点滅させるしかない。さらに不正器具は不正行為者の手の動きや、不正器具自体の撓り等により常に動いている状態なので、不正器具から発光される不正な光は、正規受光素子２４ａを的確に捉えることができず、補助受光素子２４ｂ〜２４ｅにも受光されることになる。
【００４１】
不正な光が、補助受光素子２４ｂ〜２４ｅに受光されると、補助受光素子２４ｂ〜２４ｅから不正な光に対する信号値が出力される。制御回路２８は、この出力された信号値を前述した所定値と比較し、この出力信号値が所定値以上なら不正な光が照射されていると判断することで、不正を検出することができる。
【００４２】
（２）スタートレバーの例
次に、検出センサ１００の使用状態として、パチスロ機３０のスタートレバー３４に設けられた場合を例にとって説明する。図７は、スタートレバー３４の構成を示す図、図８は、フォトインタラプタ１０を拡大した平面図である。
【００４３】
図７及び図８に示すように、スタートレバー３４は、握り部５４とシャフト５６から構成され、パチスロ機３０の筐体５８に対して、レバーハウジング６０により、上下方向に揺動可能に取り付けられている。また、スタートレバー３４は、バネ６２の弾性力によって、シャフト５６が水平方向に保持され、握り部５４が上下に振られたときは、当初の水平位置に復帰するようになっている。
【００４４】
また、シャフト５６の先端部には、遮光板６４が設けられ、この遮光板６４を挟むようにフォトインタラプタ１０が取り付けられる。遮光板６４と、フォトインタラプタ１０は、センサハウジング６６に収容され固定される。
【００４５】
このような構成において、フォトインタラプタが、スタートレバー３４のシャフト５６の変位を検出することにより、遊技を開始すると共に抽選用の乱数の内部抽選を行うように構成されている。
【００４６】
ここで、パチスロ機３０のスタートレバー３４に取り付けられた従来の検出センサに対して行われていた不正行為について説明する。
【００４７】
上述した構成において、パチスロ機３０のスタートレバー３４に設けられたフォトインタラプタの受光部材１８に対し赤外線を照射することにより、スタートレバー３４を操作したときと同じ様な状態にすることができる。このとき不正行為者が体感器等を用いて、内部抽選用の乱数の大当たりのタイミングと同期させるように赤外線を照射させることにより、内部入賞を不正に得ることができる。
【００４８】
これに対し、本実施の形態に係る検出センサ１００であれば、不正行為により照射される光を検知することが可能である。以下、本実施の形態に係る遊技媒体カウンタ４０により、不正な光を検出する処理について詳細に説明する。
【００４９】
スタートレバー３４に設けられたフォトインタラプタ１０の受光部材１８に対し不正な光が照射された場合、その不正な光が、受光素子２４ａに受光され、受光素子２４ａは受光状態となる。
【００５０】
しかしながら、不正行為者は、発光素子を備えた不正器具を、スタートレバー３４周辺の隙間から照射したり、排出口４８などからパチスロ機３０の内部に挿入して、手探り状態でフォトインタラプタ１０を探し、その周辺で発光させるしかない。さらに、不正器具は不正行為者の手の動きや、不正器具自体の撓り等により常に動いている状態なので、不正器具から発光される不正な光は、正規受光素子２４ａを的確に捉えることができず、補助受光素子２４ｂ〜２４ｅにも受光されることになる。
【００５１】
不正な光が、補助受光素子２４ｂ〜２４ｅに受光されると、補助受光素子２４ｂ〜２４ｅから不正な光に対する信号値が出力される。制御回路２８は、この出力された信号値を前述した所定値と比較し、この出力値が所定値以上なら不正な光が照射されていると判断することで、不正を検出することができる。
【００５２】
以上、詳細に説明した検出センサ１００によれば、不正行為者が照射する不正な光と正規の光とを識別することができる。
【００５３】
なお、本実施の形態においては、本発明の主旨を逸脱しない範囲内で種々の変形が可能であることはいうまでもない。例えば、本実施の形態においては、受光部材１８に、正規受光素子２４ａの周囲に、４個の補助受光素子２４ｂから２４ｅを設けたが、必要に応じて任意の数の補助受光素子を設けても良い。また受光素子には、同一の受光素子を使用されても良いし、種々な受光素子を組み合わせて使用されても良い。
【００５４】
また、本実施の形態においては、パチスロ機に設置される検出センサを例に説明したが、ドアセンサ等に設置される検出センサに使用されても良い。
【００５５】
また、本実施の形態においては、発光素子からの光が直接受光素子に受光される構成の透過型検出センサについて説明したが、発光素子からの光が反射部材を介して受光素子に受光される構成の反射型検出センサを用いても良い。反射型検出センサにおいては、正規の光であっても、発光素子１６から発光される光の光軸上を通過するコインＣに当たって反射する光が補助受光素子２４ｂ〜２４ｅに入射されるケースがあり得る。すなわち、正規の光のみが照射されている場合であっても、上述した図４（ａ）及び（ｂ）に示す透過型タイプの補助受光素子の光量よりも多くの光が補助受光素子に受光されるケースがあり得る。反射型検出センサでは、発光素子と受光素子を同一基板上に成形することができるため、製造コストを低減できると共に、検出センサとして設置するにあたって、発光素子と受光素子を高精度に位置決めする必要がないといったメリットもある。
【００５６】
したがって、上記所定値としては、正規の光がコインＣで反射されて補助受光素子に向けて照射されることを考慮して、透過型の場合よりも高めの所定値に設定する必要がある。
【００５７】
また、本実施の形態においては、受光部材１８に、グランド線２６ａと各信号線２６ｂ及び２６ｃの３本のリード端子を使用したが、検出センサにアンプ機能を持たせる場合には、電源線を追加して４本のリード端子を使用しても良い。
【００５８】
また、本実施の形態においては、発光素子以外から発光される予定されない光を、不成行為者により発光される不正な光として説明したが、その他の正規の光以外の光、例えば、外乱光や検出センサの周囲に設置されている機器から発光される光等も含まれる。
【００５９】
（第２の実施形態）
次に、本発明に係る第２の実施の形態について説明する。図９は、本発明の第２の実施の形態に係るフォトインタラプタの受光部材７０を示す図である。図９（ａ）は、正面図、図９（ｂ）は、右側面図、図８（ｃ）は、図９（ａ）のＡ−Ａ線における断面図である。なお、受光部材７０以外の構成は第１の実施の形態と同一であり、同一の構成については、同じ符号を付して説明は省略する。
【００６０】
図９に示すように、受光部材７０は、樹脂モールドにより被覆して成形される正規受光素子７２ａと、複数の補助受光素子７２ｂ及び７２ｃと、複数のリード端子７４ａ〜７４ｃと、カバー７６とから構成される。本実施の形態において、第１の実施の形態と同様に、受光素子は、フォトダイオード、フォトトランジスタ、フォトＩＣ等が適宜選択されて使用される。
【００６１】
なお、本実施の形態において、補助受光素子７２ｂ及び７２ｃは、正規受光素子２４ａを中心に、左右方向に等間隔で配置されている。なお、受光素子７２ｂ及び７２ｃの受光素子自体は、同一の受光素子が使用される。
【００６２】
カバー７６は、プラスチック材料で一体成形され、補助受光素子７２ｂ及び７２ｃを覆うように受光部材７０上に設けられる。本実施の形態において、カバー７６は、透明な材料で、ドーム状に一体成形される。なお、使用されるプラスチック材料としては、例えば、アクリル材料が使用される。
【００６３】
また、カバー７６は、その内面７６ａに光が反射しやすいような加工を施し、外部から入射された光がドーム形状のカバー７６内で反射するようになっている。これにより、外部から入射した光が、カバー７６の内面７６ａと、受光部材７０上を反射しながらドーム状のカバー７６内を進み、補助受光素子７２ｂ及び７２ｃに受光される。
【００６４】
次に、本実施の形態に係る受光部材７０を用いて、不正に照射される光を検知する処理について詳細に説明する。なお、本実施に係る受光部材７０は、第１の実施の形態に係る受光部材１８と同様、検出センサ１００に組み込まれて使用されるものである。また、正規受光素子７２ａに受光される光の処理は、第１の実施の形態と同様であるので、ここでは、補助受光素子７２ｂ及び７２ｃに受光される処理についてのみ説明する。
【００６５】
受光部材７０に不正な光が照射された場合、その不正な光が、正規受光素子７２ａに受光され、正規受光素子７２ａは受光状態となる。しかしながら、不正な光は、カバー７６にも照射されることとなる。カバー７６に照射され入射された光は、カバー７６の内面７６ａと、受光部材７０上を反射しながら進み、補助受光素子７２ｂ及び７２ｃに受光される。不正な光が、補助受光素子７２ｂ及び７２ｃに受光されると、補助受光素子７２ｂ及び７２ｃから不正な光に対する信号値が出力される。制御回路２８は、この出力された信号値を前述した所定値と比較し、この出力信号値が所定値以上なら不正な光が照射されていると判断するこことで、不正を検出することができる。
このように、本実施の形態の検出センサに１００においては、補助受光素子７２ｂ及び７２ｃの位置に光が照射されなくても、カバー７６に対して照射された光は、カバー７６を反射して進むことで、補助受光素子７２ｂ及び７２ｃに受光されることになる。よって、本実施の形態によれば、補助受光素子の数を減らして製造コストを下げることが可能である。
【００６６】
以上、第２の実施形態について説明したが、本発明の実施の形態は、これらの構成に限定されないことはいうまでもない。例えば、本実施の形態においては、受光部材７０に、正規受光素子７２ａの周囲に２個の補助受光素子７２ｂ及び７２ｃを設けたが、必要に応じて任意の数の補助受光素子を上下左右の任意の位置に設けても良い。
【図面の簡単な説明】
【００６７】
【図１】図１は、本発明の実施の形態に係る検出センサの構成を示す斜視図である。
【図２】図２は、検出センサのフォトインタラプタの中央縦断面図である。
【図３】図３は、受光部材を示す正面図である。
【図４】図４は、フォトインタラプタから出力される出力信号を説明する概略概念図である。
【図５】図５は、パチスロ機の概略正面図である。
【図６】図６は、コインの通路の構成を示す図である。
【図７】図７は、スタートレバーの構成を示す図である。
【図８】図８は、フォトインタラプタを拡大した平面図である。
【図９】図９は、本発明の第２の実施の形態に係るフォトインタラプタの受光部材を示す図である。
【図１０】図１０は、従来の検出センサを示す図である。
【符号の説明】
【００６８】
１０    フォトインタラプタ
１２    通路
１４    ケース
１６    発光素子
１８    受光部材
２０    スリット
２２    リード端子
２４    受光素子
２６    リード端子
２８    制御回路
３０    パチスロ機
３２    コイン投入口
３４    スタートレバー
３６    リール
３８    ストップボタン
４０    遊技媒体カウンタ
４２    正規通路
４４    返却通路
４６    ホッパ
４８    排出口
５０    受皿
５２    出口
５４    握り部
５６    シャフト
５８    筐体
６０    レバーハウジング
６２    バネ
６４    遮光板
６６    レバーハウジング
７０    受光部材
７２    受光素子
７４    リード端子
７６    カバー
１００    検出センサ
Ｋ    検出媒体
Ｃ    コイン
【図１】
2006141672.tif 000003
【図２】
2006141672.tif 000004
【図３】
2006141672.tif 000005
【図４】
2006141672.tif 000006
【図５】
2006141672.tif 000007
【図６】
2006141672.tif 000008
【図７】
2006141672.tif 000009
【図８】
2006141672.tif 000010
【図９】
2006141672.tif 000011
【図１０】
2006141672.tif 000012